(57)【要約】【課題】クラスタフレームをまたいで音声通話を行っている同じ端末に対する同期捕捉確立を上げ、良質な通信品質を確保することができる無線装置を提供する。【解決手段】無線装置１０は、受信信号のレベルに応じて自動で入力信号レベルを制御するＡＧＣ部２１と、受信した搬送信号周波数のずれに追従させるためのＡＦＣ部２３と、ＡＧＣ部の制御値を一時的に記憶する第１の記憶部と、ＡＦＣ部の制御値を一時的に記憶する第２の記憶部を有し、フレームには、行っている通信が複数フレーム毎の区切りをまたいで継続されるか否かの情報を含み、情報によって、受信する通信が複数フレーム毎の区切りをまたいで継続されることを判断した際に、無線端末と前回に通信した際に第１の記憶部が一時的に記憶したＡＧＣ部の制御値と、第２の記憶部が一時的に記憶したＡＦＣ部の制御値を今回同期捕捉する際の初期値とする処理を行う同期捕捉手段２９を備えた。【選択図】図１
2009005096.tif 000002
【特許請求の範囲】
【請求項１】
受信信号のレベルに応じて自動で入力信号レベルを制御するＡＧＣ部と、
受信した搬送信号周波数のずれに追従させるためのＡＦＣ部と、
前記ＡＧＣ部の制御値を一時的に記憶する第１の記憶部と、
前記ＡＦＣ部の制御値を一時的に記憶する第２の記憶部を有し、
フレームには、行っている通信が複数フレーム毎の区切りをまたいで継続されるか否かの情報を含み、
前記情報によって、受信する通信が複数フレーム毎の区切りをまたいで継続されることを判断した際に、無線端末と前回に通信した際に前記第１の記憶部が一時的に記憶した前記ＡＧＣ部の制御値と、前記第２の記憶部が一時的に記憶した前記ＡＦＣ部の制御値を今回同期捕捉する際の初期値とする処理を行う同期捕捉手段とを備えたことを特徴とする無線装置。
【発明の詳細な説明】
【技術分野】
【０００１】
本発明は、無線装置に関し、特に、クラスタフレームを用いて音声通話を行う無線装置に関する。
【背景技術】
【０００２】
タクシー配車用ＡＶＭ（Automatic Vehicle Monitoring）システム等の無線システムでは、移動局である車両（タクシー等）の現在位置をＧＰＳ（Global Positioning System）により移動局自身が検出し、各移動局は動態位置情報を基地局へと送出している。この際、移動局は基地局からの定期的なポーリング信号に従い、各移動局の車両番号に割り当てられた専用の送信スロットで動態位置情報を返送する。基地局は管理センターに接続されており、管理センターでは顧客情報や配車の管理を行っている。
【０００３】
しかしこのシステムでは、管理センターと移動局が音声通話を行う場合、基地局のポーリング動作を一旦停止しなければならないため、移動局の動態位置情報を収集することができなくなってしまう。そこで、特許文献１の方法や、標準規格ＡＲＩＢ  ＳＴＤ  Ｔ−６１狭帯域デジタル通信方式（ＳＣＰＣ／ＦＤＭＡ）の付録１のようなクラスタフレームを用いた方法が考えられている。
【０００４】
図８は、クラスタフレームを用いた無線チャネルのフレーム構成の例を示す図である。フレーム構成は、長さが４０ｍｓのフレームを基本フレームとして、連続した４基本フレームを１クラスタフレーム（１６０ｍｓ）とする。基本フレームナンバー（ＦＮ）はクラスタフレーム内での送出時間順に０〜３となる。上り通信のフレームは、下り通信のフレームに同期してクラスタフレームを構成する。下り通信のフレームは、ＦＮ＝０に各種制御情報（ポーリング情報も含む）を伝送する制御フレームとし、残りの３フレーム（ＦＮ＝１〜３）を音声または非音声（データ）用のフレームとする。
【０００５】
図９は、通常時と音声通話時でのフレーム構成を示す図である。通常時は図９（ａ）のように、下りの制御情報に含まれるポーリング情報に従って、各端末（移動局）の車両番号に割り当てられた専用の送信フレームで動態位置情報を返送する。音声通話を行う場合は、図９（ｂ）に示すようにＦＮ＝１〜３の３フレームを音声通話用に割り当てる。
【０００６】
図１０は、音声データをクラスタフレームを用いて伝送するときの音声データの割り振りを説明する図である。音声通話を行う場合、図１０のように１６０ｍｓ（４基本スロット）分の音声データを送信データとして３フレームに分割し、その３フレームに分割された送信データを無線チャネルのクラスタフレームのＦＮ＝１〜３のフレームに割り振られる。そして、そのクラスタフレームで伝送する。なお、予め音声コーデックの圧縮比を上げておき、４フレーム分の音声データが３フレームの伝送量となるように設定しておく。音声通話していない他の端末は、図９（ｂ）に示すように空いているＦＮ＝０のフレームを用いて動態位置情報を伝送する。
【０００７】
以上のように、４基本フレームをクラスタフレームと規定し、音声データの圧縮比をあげて４フレーム分の音声データを３フレームで伝送することで、音声通話中でも空いているフレームを使用して各移動局からの動態位置情報が途切れないシステムを実現している。
【０００８】
また、無線システムでは、無線機（無線装置）が受信する信号のレベルは伝搬路特性により変動するため、入力レベル過大等による受信データの誤り発生を防止するために入力信号レベルを一定に保つＡＧＣ（Automatic Gain Control）技術が一般的に知られている。ＡＧＣ回路および制御方法として特許文献２等がある。
【０００９】
図１１を用いてＡＧＣ制御について説明する。図１１はＡＧＣ回路の一例である。無線機が受信した信号は高周波回路部１００１を介して可変増幅器１００２に入力される。可変増幅器１００２にて増幅された信号はＡ／Ｄコンバータ１００３を介してデジタル信号処理部１００４へと入力される。デジタル信号処理部１００４に入力された信号は復調処理部１００５に入力され、復調処理が行われる。また、デジタル信号処理部１００４に入力された信号はＡＧＣ部１００６にも入力さる。
【００１０】
ＡＧＣ部は入力レベル算出部１００７、ゲイン制御部１００８で構成される。入力レベル算出部１００７はＡＧＣ部１００６に入力された信号のレベル（電力）を計算し、その結果をゲイン制御部１００８に出力する。ゲイン制御部１００８はレベル算出部１００７からの信号レベル算出結果が、既定値（Ａ／Ｄコンバータ１００３への入力信号レベルが最適となる値）に近づくように可変増幅器１００２のゲイン量を制御するゲイン制御値を調整する。そして、ゲイン制御部１００８はその制御値をＤ／Ａコンバータ１００９を介して可変増幅器１００２に出力する。
【００１１】
以上のように、Ａ／Ｄコンバータ１００３の出力信号のレベルを計算し、その結果をフィードバックして可変増幅器１００２の増幅量を制御することで、復調部に入力される信号のレベルを自動調整して最適値に保つ。
【００１２】
さらに、無線システムでは、無線機内部の発振器の精度のばらつきや通信相手の送信周波数のずれなどで発生する受信周波数に対するずれに対応するためのＡＦＣ（Automatic Frequency Control）技術が知られている。ＡＦＣ回路および制御方法として特許文献３等の技術がある。
【００１３】
図１２と図１３を用いてＡＦＣ制御について説明する。図１２はＡＦＣ回路の一例であり、図１３は遅延検波出力の信号点を表した図である。理想状態での遅延検波出力は、図１３の点Ａ，Ｂ，Ｃ，Ｄの４点となる。しかし、周波数ずれが発生すると点Ａ’のように周波数のずれ幅によってΔθ回転した点となってしまう。復号は遅延検波の結果を用いて行うため、遅延検波の結果が大きくずれると正しく復号できなくなり、受信データに誤りが発生してしまう。
【００１４】
図１２において、無線機が受信した信号は高周波回路部１１０１、Ａ／Ｄコンバータ１１０２を介してデジタル信号処理部１１０３へと入力される。デジタル信号処理部１１０３に入力された信号は、直交復調部１１０４にて直交復調され、ローパスフィルタ（ＬＰＦ）部１１０５にて余分な周波数成分を落とし遅延検波部１１０６にて遅延検波される。遅延検波された信号はＡＦＣ部１１０７を介して判定復号部１１１０にてビットデータに復号される。
【００１５】
ＡＦＣ部１１０７はΔθ補正部１１０８とΔθ検出部１１０９から構成される。Δθ検出部１１０９では、受信信号が既知のパターンとなる同期ワード部分を利用して、理想状態で同期ワード部分を受信したときの遅延検波出力である同期ワードシンボルパターン１１１１と実際に受信した信号の遅延検波結果を比較し、そのずれ幅（回転量Δθ）を算出してΔθ補正部１１０８の制御量を決定する。Δθ補正部１１０８では、Δθ検出部１１０９の制御値に従って、遅延検波１１０６の出力をΔθ回転させることで、周波数ずれによる遅延検波出力の回転を打消している。
【特許文献１】特開２００６−３３３３６号公報
【特許文献２】特開２００２−８４１５３号公報
【特許文献３】特開２００１−２３７１１０６号公報
【発明の開示】
【発明が解決しようとする課題】
【００１６】
フレームを用いて通信を行う無線システムでは、基地局と移動端末が通信を行う際、お互いに通信相手の送信フレームタイミングに自身の受信フレームタイミングを合わせる必要があり、このタイミングがあっていない場合はタイミングに合わせるために同期捕捉を行う。上記のようにクラスタフレームを使用して音声通話する無線システムでは、音声通話時に基地局無線機は音声通話を行っている端末からの信号（３フレーム）と音声通話をしている端末以外からの信号（１フレーム）を交互に受信しなければならないため、頻繁に同期捕捉を行う必要がある。もし、この時に同期捕捉に失敗してしまうと音声の途切れが発生してしまう。
【００１７】
同期捕捉時は、どこにあるどの端末からの信号を受信しなければいけないか分からないため、受信する信号のレベルや通信相手端末の送信周波数のずれは不明である。そのため、図１４の処理フローのように同期捕捉動作に入る時にＡＧＣ部やＡＦＣ部は予め決めておいた設定値（初期値）にリセットしてから待ち受けるのが一般的である。しかし、同期捕捉の成功率は受信信号のレベルと周波数ずれ幅に依存するため、ＡＧＣ部やＡＦＣ部の設定値が実際の受信信号に対してずれていると同期捕捉の成功率が下がってしまう。
【００１８】
本発明の目的は、上記課題に鑑み、クラスタフレームをまたいで音声通話を行っている同じ端末に対する同期捕捉確立を上げ、良質な通信品質を確保することができる無線装置を提供することにある。
【課題を解決するための手段】
【００１９】
本発明に係る無線装置は、上記の目的を達成するために、次のように構成される。
本発明に係る無線装置は、受信信号のレベルに応じて自動で入力信号レベルを制御するＡＧＣ部と、受信した搬送信号周波数のずれに追従させるためのＡＦＣ部と、ＡＧＣ部の制御値を一時的に記憶する第１の記憶部と、ＡＦＣ部の制御値を一時的に記憶する第２の記憶部を有し、フレームには、行っている通信が複数フレーム毎の区切りをまたいで継続されるか否かの情報を含み、情報によって、受信する通信が複数フレーム毎の区切りをまたいで継続されることを判断した際に、無線端末と前回に通信した際に第１の記憶部が一時的に記憶したＡＧＣ部の制御値と、第２の記憶部が一時的に記憶したＡＦＣ部の制御値を今回同期捕捉する際の初期値とする処理を行う同期捕捉手段とを備えたことを特徴とする。
【発明の効果】
【００２０】
本発明によれば、ある無線端末とフレームをまたぐような音声や長いデータの通信を行う時、前のフレームで調整したＡＧＣ部およびＡＦＣ部の制御値を引き継ぐことで、その無線端末からの信号に対して最適な状態で同期捕捉を行うことができる。このことにより、同期捕捉の成功確立を上げ回線の信頼度を向上することができる。
【発明を実施するための最良の形態】
【００２１】
以下に、本発明の好適な実施形態（実施例）を添付図面に基づいて説明する。
【００２２】
図１は、本発明の実施形態に係る無線装置（無線機）のブロック図である。無線装置１０は、アンテナ１１を備えた高周波回路部や可変増幅部等を含むアナログ信号処理部１２と、デジタル信号処理部１３と制御部１４と記憶部１５を含んで構成される。デジタル信号処理部１３は、アナログ信号処理部１２からのアナログ信号をデジタル信号に変換するＡ／Ｄコンバータ２０と、入力レベルを一定に保つため、受信信号のレベルに応じて自動で入力信号レベルを制御するＡＧＣ部２１と、ＡＧＣ部２１からの信号をアナログ信号に変換してアナログ信号処理部１２にフィードバックするためのＤ／Ａコンバータ２２を備えている。また、デジタル信号処理部１３は、無線装置内部の発振器の精度のばらつきや通信相手の送信周波数のずれなどで発生する受信周波数に対するずれに対応するため、受信した搬送信号周波数のずれに追従させるためのＡＦＣ部２３と、復調処理部２４を備えている。復調処理部２４からの信号は、増幅器（ＡＭＰ）２５で増幅されスピーカ（ＳＰ）から音声として出力される。また、マイク（ＭＩＣ）からの信号は、増幅器（ＡＭＰ）２６で増幅され変調処理部２７で変調され、Ｄ／Ａコンバータ２８でアナログ信号に変換された後、アナログ信号処理部１２で高周波に変換され、増幅され送信される。
【００２３】
制御部１４は、記憶部１５に記憶された同期捕捉プログラム（同期捕捉手段）２９によって、ＡＧＣ部２１と、ＡＦＣ部２３と、復調処理部２４と変調処理部２７を制御する。後述のようにＡＧＣ部２１とＡＦＣ部２３は、それぞれ、ＡＧＣ部２１とＡＦＣ部２３の制御値を一時的に記憶する第１の記憶部（図２の符号５０９）と第２の記憶部（図３の符号６１０）を有している。また、同期捕捉プログラム２９は、伝送に複数フレームを要する通信を行う無線端末との同期捕捉動作において、フレームに含まれている、行っている通信が複数フレーム毎の区切りをまたいで継続されるか否かの情報によって、受信する通信が複数フレーム毎の区切りをまたいで継続されることを判断した際に、無線端末と前回に通信した際に第１と第２の記憶部がそれぞれ一時的に記憶したＡＧＣ部２１とＡＦＣ部２３の制御値を今回同期捕捉する際の初期値とする処理を行うプログラムである。
【００２４】
この無線装置１０は、少なくとも一つ以上の基地局と少なくとも一つ以上の移動端末で構成される無線システムにおいて用いられ、無線チャネルを複数のフレーム毎に区切り、その区切りの中の連続する複数フレームを伝送に複数フレームを要するデータ通信（音声通信も含む）用、残りのフレームを１フレームで伝送できるデータ通信用として使用する通信を行う。
【００２５】
ＡＧＣ部２１の一例を図２を用いて説明する。図２は受信回路のＡＧＣ部２１周辺を示したブロック図である。無線装置が受信した信号は高周波回路部５０１を介して可変増幅部５０２に入力される。可変増幅部５０２にて増幅された信号はＡ／Ｄコンバータ２０を介してデジタル信号処理部１３に入力され、ＡＦＣ部２３に入力される。また、デジタル信号処理部１３に入力された信号はＡＧＣ部２１にも入力される。
【００２６】
ＡＧＣ部２１は入力レベル算出部５０７、ゲイン制御部５０８、ゲイン制御値記憶部５０９から構成される。ＡＧＣ部２１に入力された信号は入力レベル算出部５０７にて信号のレベル（平均電力）が算出される。入力レベル算出部５０７にて算出された信号レベルの情報はゲイン制御部５０８に入力され、ゲイン算出部５０７は入力された信号レベル情報に応じて可変増幅部５０２のゲイン量を調整する制御値を出力する。ＡＧＣ部２１より出力されたゲイン制御値はＤ／Ａコンバータ２２を介して可変増幅部５０２に入力され、可変増幅部５０２の増幅量が調整される。ここで、ゲイン制御部５０８はＡＧＣ制御値記憶部（第１の記憶部）５０９に接続されており、ゲイン制御部５０８に図１で示した制御部１４から書き込み命令があった場合は、ゲイン制御部５０８は現在出力しているゲイン制御値をゲイン制御値記憶部５０９に出力して書き込む。また、ゲイン制御部５０８に図１で示した制御部１４から読み出し命令があった場合は、ゲイン制御部５０８はＡＧＣ制御値記憶部５０９に記憶されているゲイン制御値を読出し、可変増幅部５０２のゲイン制御値としてＤ／Ａコンバータ２２に出力する。
【００２７】
次に、ＡＦＣ部２３の一例を図３を用いて説明する。図３は受信回路のＡＦＣ部２３を示したブロック図である。無線装置１０が受信した信号は、高周波回路部５０１、Ａ／Ｄコンバータ２０を介してＡＦＣ部２３に入力される。ＡＦＣ部２３に入力された信号は、直交復調部６０４にて直交復調され、ローパスフィルタ（ＬＰＦ）部６０５で余分な周波数成分を落とし遅延検波部６０６にて遅延検波される。遅延検波された信号はＡＦＣ手段６０７を介して判定復号部６１１にてビット情報に復号される。そして、判定複合部６１１の出力は、復調処理部２４に出力される。
【００２８】
ＡＦＣ手段６０７はΔθ補正部６０８、Δθ検出部６０９、ＡＦＣ制御値記憶部（第２の記憶部）６１０から構成される。Δθ検出部６０９は、受信信号が既知のパターンとなる同期ワード部分を利用して、理想状態での遅延検波出力である同期ワードシンボルパターン６１２と実際に受信した信号の遅延検波出力（Δθ補正後の出力）を比較し、実際に受信した信号の遅延検波出力のずれ（Δθ）を求めてΔθ補正の制御値を決定する。Δθ補正部６０８は、Δθ検出部６０９より入力された制御値に従って、遅延検波部６０６の遅延検波出力をΔθ補正して判定復号部６１１へと出力する。ここで、Δθ補正部６０８はＡＦＣ制御値記憶部６１０に接続されており、Δθ補正部６０８に図１で示した制御部１４から書き込み命令があった場合は、Δθ補正部６０８は現在のＡＦＣ制御値をＡＦＣ制御値記憶部６１０に出力して書き込む。また、Δθ補正部６０８に図１で示した制御部１４から読み出し命令があった場合は、Δθ補正部６０８はＡＦＣ制御値記憶部６１０に記憶されているＡＦＣ制御値を読出し、その制御値に従ったΔθ補正を行う。
【００２９】
次に、本発明の本実施形態に係る無線装置に用いられる同期捕捉方法について、説明する。この同期補足方法では、まず、機能チャネルであるＲＩＣＨ（Radio Information Channel）の情報要素の未定義領域にデータエンドフラグ（以下ＤＥＦ）を追加する。
【００３０】
図４は、通信チャネルの下り信号フォーマットとＲＩＣＨの構成を示す図である。標準規格ARIB STD-T61において、ＲＩＣＨは全ての物理無線チャネル上に配置され、無線チャネル構造や動作モード等のチャネルを転送するために使用される機能チャネルである。図４（ａ）は、通信チャネルの下り信号フォーマットであり、ＬＰ＋Ｒは、リニアライザ用プリアンブル及びバースト過渡応答用ガードタイムに用いる信号で３０ビットパターンが規定される。Ｐは、プリアンブルに用いる信号であり、２ビットパターンが規定される。ＴＣＨは、トラヒックチャネルに用いる信号で９６ビットパターンが規定される。ＲＩＣＨは、無線情報チャネルに用いる信号で５６ビットパターンが規定される。ＳＷは、同期ワードに用いる信号で２０ビットパターンが規定される。未定義領域の後のＴＣＨは、トラヒックチャネルに用いる信号で１６０ビットパターンが規定される。
【００３１】
図４（ｂ）は、ＲＩＣＨの構成を示す図である。Ｆは、無線チャネル構造識別を示す。Ｍは、通信モード識別を示す。Ｄは、動作モード識別を示す。ＤＥＦは、データエンドフラグを示す。ＤＥＦは音声通話や複数フレームにまたがるデータ伝送を行う際に、データ先頭および途中のフレームは”０”、最終フレームのみ”１”とする。このＤＥＦにより、受信側で連続したデータが送られてくることと、そのデータの最終フレームを判断することができる。
【００３２】
図５は無線装置１０の同期補足プログラム２９が実行され、制御部１４から同期捕捉命令があり、同期捕捉を行う際の初期設定を行う同期捕捉プログラムが実行する処理のフロー図である。まず、制御部１４は、受信された信号の基本フレームが、分岐処理Ｓ１０１にて基本フレーム番号（以下ＦＮ）＝０であるかを確認する。受信された信号の基本フレームがＦＮ＝０である場合は、連続したデータを受信している可能性はないため、制御部１４は、処理Ｓ１０２にてＡＧＣ部２１およびＡＦＣ部２３の制御値は初期値にリセットして終了する。受信した信号の基本フレームが分岐処理Ｓ１０１でＦＮ≠０である場合は、制御部１４は、分岐処理Ｓ１０３に進み、ＡＧＣ−ＡＦＣ継続フラグを確認する。ＡＧＣ−ＡＦＣ継続フラグが０であった場合、処理Ｓ１０２にてＡＧＣ部２１およびＡＦＣ部２３の制御値は初期値にリセットして終了する。一方、ＡＧＣ−ＡＦＣ継続フラグが１であった場合、処理１０４にてＡＧＣ制御値記憶部５０９とＡＦＣ制御値記憶部６１０にそれぞれ格納しておいたＡＧＣ部２１およびＡＦＣ部２３の制御値を読出し、それぞれＡＧＣ、ＡＦＣ制御値に設定して終了する。
【００３３】
図６は、同期捕捉プログラム２９によって、基本フレームの最後（１基本フレームの全シンボルを復調処理完了し、次基本フレームの復調処理を開始するまで）に行うＡＧＣ、ＡＦＣ制御値の格納および継続フラグ設定処理を行うフロー図である。まず分岐処理Ｓ２０１にてＦＮを確認する。ＦＮ＝０である場合、連続したデータを受信する可能性はないため、ＡＧＣ−ＡＦＣ継続フラグを"０"にクリアして終了する。ＦＮが０以外である場合は、分岐処理Ｓ２０２に進み、今回受信したＲＩＣＨのＤＥＦを確認する。ＤＥＦ＝１の場合、連続データがそのフレームで終了したことを示しているため処理Ｓ２０３にてＡＧＣ−ＡＦＣ継続フラグを”０”にクリアして終了する。ＤＥＦ＝０である場合、データ連続の途中であるため、処理Ｓ２０４に進みＡＧＣ−ＡＦＣ継続フラグを”１”にセットし、さらに処理Ｓ２０５にて現在のＡＧＣ制御値およびＡＦＣ制御値をそれぞれＡＧＣ制御値記憶部５０９、ＡＦＣ制御値記憶部６１０に格納し終了する。この時メモリに格納されるＡＧＣ制御値およびＡＦＣ制御値はそのフレーム受信する過程で最適値に近い値に収束したものである。
【００３４】
上記の図５および図６の処理を上り通信に対応させると図７のようになる。図７は、基地局と端末１がクラスタフレーム番号＝（Ｎ＋１）まで音声通話を、他の端末（端末２〜６）は動態位置情報を基地局に送信している状態である。なお、クラスタフレームの番号は説明のために通し番号をつけている。
【００３５】
まず端末側の動作について説明する。端末１は基地局と音声通話をしており、各クラスタフレームの基本フレーム番号（ＦＮ）＝１〜３を使用して音声データを送信している。音声通話はクラスタフレーム番号＝（Ｎ＋１）まで継続しているため、クラスタフレーム番号＝（Ｎ＋１）のＦＮ＝２までのＲＩＣＨのＤＥＦ情報は０、音声データの最終フレームであるクラスタフレーム番号＝（Ｎ＋１）のＦＮ＝３はＤＥＦ情報が１となる。その他の端末２〜６は端末１が音声通話に使用していないフレームを利用して動態位置情報を送信する。この時、動態位置情報は常に１フレームのみのデータであるため、ＲＩＣＨのＤＥＦ情報は１となる。
【００３６】
次に、基地局の動作について説明する。基地局は常に動態位置情報を受信するＦＮ＝０の時以外は受信したデータのＲＩＣＨのＤＥＦを確認する。図７のクラスタフレーム番号＝（Ｎ−１）およびＮの時のように基地局で受信した端末からのＲＩＣＨのＤＥＦ情報が０であった場合、音声通話が次のクラスタフレームも継続されると判断され、ＡＧＣおよびＡＦＣの制御値をそれぞれＡＧＣ制御値記憶部（メモリ）５０９とＡＦＣ制御値記憶部（メモリ）６１０に格納し、さらに次に同期捕捉を行う際にＡＧＣ制御値記憶部５０９とＡＦＣ制御値記憶部６１０にそれぞれ格納したＡＧＣおよびＡＦＣの制御値を使用することが分かるようにＡＧＣ−ＡＦＣ継続フラグを１にセットする。
【００３７】
次のクラスタフレームのＦＮ＝１では、ＡＧＣ−ＡＦＣ継続フラグがセットされているのでＡＧＣ制御値記憶部５０９とＡＦＣ制御値記憶部６１０にそれぞれ格納されているＡＧＣとＡＦＣ制御値を読み出し、ＡＧＣとＡＦＣをその制御値にセットしてから同期捕捉を行う。一方、クラスタフレーム番号＝（Ｎ＋１）のＦＮ＝３の時のように受信したＲＩＣＨのＤＥＦ情報が１であった場合、音声通話が終了であることが分かるため、ＡＧＣおよびＡＦＣ制御値の格納、ＡＧＣ−ＡＦＣ継続フラグをセットは行わない。つまり、次のクラスタフレームのＦＮ＝１では，ＡＧＣ−ＡＦＣ継続フラグがセットされていないため、ＡＧＣおよびＡＦＣの制御値は初期値にリセットされてから同期捕捉を行う。クラスタフレーム番号＝（Ｎ＋２）では音声通話がないため、各基本フレームにおいて違う端末に対して同期捕捉を行うこととなるが、このときは常にＡＧＣおよびＡＦＣは初期値にリセットしてから同期捕捉を行う。
【００３８】
以上のように、本実施形態に係る無線装置によれば、少なくとも一つ以上の基地局と少なくとも一つ以上の無線端末で構成される無線システムにおける、無線チャネルを複数のフレーム毎に区切り、その区切りの中の連続する複数フレームを音声データの通信用として使用する通信に用いられる無線装置であって、受信信号のレベルに応じて自動で入力信号レベルを制御するＡＧＣ部と、受信した搬送信号周波数のずれに追従させるためのＡＦＣ部と、ＡＧＣ部の制御値を一時的に記憶する第１の記憶部と、ＡＦＣ部の制御値を一時的に記憶する第２の記憶部を有し、フレームには、行っている通信が複数フレーム毎の区切りをまたいで継続されるか否かの情報を含み、情報によって、受信する通信が複数フレーム毎の区切りをまたいで継続されることを判断した際に、無線端末と前回に通信した際に第１の記憶部が一時的に記憶したＡＧＣ部の制御値と、第２の記憶部が一時的に記憶したＡＦＣ部の制御値を今回同期捕捉する際の初期値とする処理を行う同期捕捉手段を備えたことを特徴とする。
【００３９】
また、本実施形態に係るＡＧＣ部は、受信信号を検波する受信装置であって、信号のレベルを検出する手段と受信信号処理部への入力レベル調整する可変増幅器の増幅量を制御する手段を有し、受信信号処理部への入力信号のレベルを検出した結果を用いて可変増幅器の増幅量を制御することで、自動的に受信信号処理部への入力信号のレベルを最適値に制御するＡＧＣ部において、可変増幅器の制御値を一時的に記憶する手段を有し、外部からの制御によって可変増幅器の制御値を保存すること、また記憶されている値を読み出して制御値として設定することが可能である。
【００４０】
さらに、本実施形態に係るＡＦＣ部は、受信信号を検波する受信装置であって、通信相手である無線機の送信の送信周波数の誤差および受信装置内部のローカル信号発振器における周波数誤差を自動補正するための、周波数誤差推定手段と周波数誤差補正手段を有するＡＦＣ部において、周波数誤差補正における補正量を決定する制御値を一時的に記憶する手段を有し、外部からの制御によって制御値を保存すること、また記憶されている値を読み出して制御値として設定することが可能である。
【００４１】
本発明の実施形態によれば、ある端末とクラスタフレームをまたぐような音声や長いデータの通信を行う時、前のクラスタフレームで調整したＡＧＣ部およびＡＦＣ部の制御値を引き継ぐことで、その端末からの信号に対して最適な状態で同期捕捉を行うことができる。このことにより、同期捕捉の成功確立をあげ回線の信頼度を向上することができる。
【００４２】
以上の実施形態で説明された構成、配置関係等については本発明が理解・実施できる程度に概略的にしたものにすぎない。従って本発明は、説明された実施形態に限定されるものではなく、特許請求の範囲に示される技術的思想の範囲を逸脱しない限り様々な形態に変更することができる。
【産業上の利用可能性】
【００４３】
本発明は、移動体無線システムに用いられる無線装置として利用される。
【図面の簡単な説明】
【００４４】
【図１】本発明の実施形態に係る無線装置のブロック図である。
【図２】本発明の実施形態に係る無線装置のＡＧＣ部の一実施例を示したブロック図である。
【図３】本発明の実施形態に係る無線装置のＡＦＣ部の一実施例を示したブロック図である。
【図４】ＤＥＦを追加したＲＩＣＨの構成を示す図である。
【図５】本発明の実施形態に係る無線装置の同期捕捉プログラムで実行される捕捉動作の初期で実行するＡＧＣおよびＡＦＣ制御値を設定する処理のフロー図である。
【図６】本発明の実施形態に係る無線装置の同期捕捉プログラムによって実行されるでフレームの最終シンボル処理終了後に実行する処理のフロー図である。
【図７】本発明の実施例を上り通信に対応させて説明した図である。
【図８】クラスタフレームを用いた無線チャネルのフレーム構成を示した図である。
【図９】クラスタフレームを用いた時の無線チャネルの使用例を示した図である。
【図１０】音声データの割り当てを示した図である。
【図１１】ＡＧＣ部の一例を示したブロック図である。
【図１２】ＡＦＣ部の一例を示したブロック図である。
【図１３】遅延検波の出力を示した図である。
【図１４】一般的に捕捉動作の初期で実行するＡＧＣおよびＡＦＣ制御値を設定する処理のフロー図である。
【符号の説明】
【００４５】
１０              無線装置
１１              アンテナ
１２              アナログ信号処理部
１３              デジタル信号処理部
１４              制御部
１５              記憶部
２０              Ａ／Ｄコンバータ
２１              ＡＧＣ部
２２              Ｄ／Ａコンバータ
２３              ＡＦＣ部
２４              復調処理部
２５              増幅器
２６              増幅器
２７              変調処理部
２８              Ｄ／Ａコンバータ
２９              同期捕捉プログラム
５０１            高周波回路部
５０２            可変増幅器
５０７            入力レベル算出部
５０８            ゲイン制御部
５０９            ＡＧＣ制御値記憶部
６０４            直交復調部
６０５            ＬＰＦ部
６０６            遅延検波部
６０７            ＡＦＣ手段
６０８            Δθ補正部
６０９            Δθ検出部
６１０            ＡＦＣ制御値記憶部
６１１            判定復号部
６１２            同期ワードシンボルパターン格納部
【図１】
2009005096.tif 000003
【図２】
2009005096.tif 000004
【図３】
2009005096.tif 000005
【図４】
2009005096.tif 000006
【図５】
2009005096.tif 000007
【図６】
2009005096.tif 000008
【図７】
2009005096.tif 000009
【図８】
2009005096.tif 000010
【図９】
2009005096.tif 000011
【図１０】
2009005096.tif 000012
【図１１】
2009005096.tif 000013
【図１２】
2009005096.tif 000014
【図１３】
2009005096.tif 000015
【図１４】
2009005096.tif 000016